(57)【要約】【課題】互いに識別対象が異なる２種類の識別情報を絶縁被覆に設けたものにおいて、識別情報が誤認されるのを防止する。【解決手段】ワイヤーハーネスは、第１導体１１を第１絶縁被覆１２で包囲した形態の第１被覆電線１０と、第２導体２１を第２絶縁被覆２２で包囲した形態の第２被覆電線２０と、第１絶縁被覆１２と第２絶縁被覆２２の両方に設けられ、可視光線下で目視確認可能に表示される可視光用識別情報１３，２３と、第１絶縁被覆１２のみに設けられ、可視光用識別情報１３，２３とは識別対象が異なっていて、可視光線下では目視による存在確認が困難であり且つ紫外線の照射により視認可能に発光する蛍光識別情報１４とを備える。【選択図】図３
2014017124.tif 000002
【特許請求の範囲】
【請求項１】
第１導体を第１絶縁被覆で包囲した形態の第１被覆電線と、
第２導体を第２絶縁被覆で包囲した形態の第２被覆電線と、
前記第１絶縁被覆と前記第２絶縁被覆の両方に設けられ、可視光線下で目視確認可能に表示される可視光用識別情報と、
前記第１絶縁被覆と前記第２絶縁被覆のうちいずれか一方の絶縁被覆のみに設けられ、前記可視光用識別情報とは識別対象が異なっていて、可視光線下では目視による存在確認が困難であり且つ紫外線の照射により視認可能に発光する蛍光識別情報とを備えていることを特徴とするワイヤーハーネス。
【請求項２】
前記蛍光識別情報の識別対象が、前記第１導体と前記第２導体の材質の違いであり、
前記第１導体と前記第２導体の材質の違いに基づいて前記第１被覆電線と前記第２被覆電線が分別されるようになっていることを特徴とする請求項１記載のワイヤーハーネス。
【請求項３】
前記可視光用識別情報と前記蛍光識別情報が、周方向に繋がったリングマークを印刷によって表示したものであることを特徴とする請求項１又は請求項２記載のワイヤーハーネス。
【請求項４】
導体と、
前記導体を包囲した絶縁被覆と、
前記絶縁被覆に設けられ、可視光線下で目視確認可能に表示される可視光用識別情報と、
前記絶縁被覆に設けられ、前記可視光用識別情報とは識別対象が異なっていて、可視光線下では目視による存在確認が困難であり且つ紫外線の照射により視認可能に発光する蛍光識別情報とを備えていることを特徴とする被覆電線。
【発明の詳細な説明】
【技術分野】
【０００１】
本発明は、ワイヤーハーネス及び被覆電線に関するものである。
【背景技術】
【０００２】
特許文献１には、導体を絶縁被覆で包囲した形態の複数本の被覆電線を備えたワイヤーハーネスにおいて、被覆電線の回路情報を絶縁被覆に表示するための識別手段として、被覆電線の長さ方向における一部分に着色を施す技術が開示されている。この識別技術は、１つのワイヤーハーネスに、導体が銅合金製の被覆電線と、導体がアルミ合金製の被覆電線とが混在している場合において、導体の種類を識別するための手段として利用することが可能であると考えられる。絶縁被覆を除去せずに導体を材質を目視で識別できれば、ワイヤーハーネスをリサイクルする際に、導体が銅合金製の被覆電線と導体がアルミ合金製の被覆電線とを分別し易くなる。
【先行技術文献】
【特許文献】
【０００３】
【特許文献１】特開２０１１−１８１３９６号公報
【発明の概要】
【発明が解決しようとする課題】
【０００４】
ところで、被覆電線では、導体の太さを識別するための手段として、絶縁被覆に全周に亘って繋がったリングマークと称される識別情報を、長さ方向に一定間隔を空けて表示し、１つの表示箇所におけるリングマークの数によって導体の太さを識別する方法がとられている。このリングマークの数による導体太さの識別方法は、識別情報を印刷によって簡単に表示でき、また目視による確認もし易いので、導体の材質を識別するための手段として利用することも可能である。
【０００５】
しかし、導体の太さを識別するためのリングマークが表示されている絶縁被覆に、導体の材質を識別するためのリングマークを追加表示した場合、材質識別用のリングマークを太さ識別用のリングマークであると誤認することが懸念される。この場合、誤認を生じた被覆電線の導体の太さを正しく識別できないだけでなく、導体の材質も正しく識別できなくなる。
本発明は上記のような事情に基づいて完成されたものであって、絶縁被覆に識別対象が異なる２種類の識別情報を設けたものにおいて、識別情報が誤認されるのを防止することを目的とする。
【課題を解決するための手段】
【０００６】
第１の発明のワイヤーハーネスは、
第１導体を第１絶縁被覆で包囲した形態の第１被覆電線と、
第２導体を第２絶縁被覆で包囲した形態の第２被覆電線と、
前記第１絶縁被覆と前記第２絶縁被覆の両方に設けられ、可視光線下で目視確認可能に表示される可視光用識別情報と、
前記第１絶縁被覆と前記第２絶縁被覆のうちいずれか一方の絶縁被覆のみに設けられ、前記可視光用識別情報とは識別対象が異なっていて、可視光線下では目視による存在確認が困難であり且つ紫外線の照射により視認可能に発光する蛍光識別情報とを備えているところに特徴を有する。
【０００７】
第２の発明の被覆電線は、
導体と、
前記導体を包囲した絶縁被覆と、
前記絶縁被覆に設けられ、可視光線下で目視確認可能に表示される可視光用識別情報と、
前記絶縁被覆に設けられ、前記可視光用識別情報とは識別対象が異なっていて、可視光線下では目視による存在確認が困難であり且つ紫外線の照射により視認可能に発光する蛍光識別情報とを備えているところに特徴を有する。
【発明の効果】
【０００８】
第１の発明によれば、第１被覆電線と第２被覆電線が混在した状態で、暗室において双方の被覆電線に紫外線を照射すると、可視光用識別情報が目視確認できないのに対し、蛍光識別情報の存在を目視確認できるので、第１被覆電線と第２被覆電線を分別することができる。識別対象が異なる可視光用識別情報と蛍光識別情報の２種類の識別情報が設けられている絶縁被覆を可視光線下で目視した場合、目視によって存在が確認できるのは、可視光用識別情報だけである。したがって、蛍光識別情報を可視光用識別情報と誤認することが防止される。
【０００９】
第２の発明によれば、絶縁被覆を可視光線下で目視した場合、目視によって存在が確認できるのは可視光用識別情報だけである。また、暗室において被覆電線に紫外線を照射した場合、目視によって存在が確認できるのは蛍光識別情報だけである。したがって、蛍光識別情報を可視光用識別情報と誤認することが防止される。
【図面の簡単な説明】
【００１０】
【図１】本実施例のワイヤーハーネスの構成図
【図２】可視光下で目視している状態をあらわす第１被覆電線と第２被覆電線の外観図
【図３】暗室内で紫外線が照射されている状態をあらわす第１被覆電線と第２被覆電線の外観図
【発明を実施するための形態】
【００１１】
本発明のワイヤーハーネスは、
前記蛍光識別情報の識別対象が、前記第１導体と前記第２導体の材質の違いであり、
前記第１導体と前記第２導体の材質の違いに基づいて前記第１被覆電線と前記第２被覆電線が分別されるようになっていてもよい。
この構成によれば、第１絶縁被覆と第２絶縁被覆を夫々第１導体と第２導体から除去しなくても、蛍光識別情報の有無によって、第１被覆電線と第２被覆電線を分別することができる。
【００１２】
本発明のワイヤーハーネスは、
前記可視光用識別情報と前記蛍光識別情報が、周方向に繋がったリングマークを印刷によって表示したものであってもよい。
この構成によれば、可視光用識別情報のリングマークを表示するための印刷設備を、蛍光識別情報のリングマークを表示するためにも流用することができるので、設備の小型化や設備コストの低減を図ることができる。
【００１３】
＜実施例１＞
以下、本発明を具体化した実施例１を図１〜図３を参照して説明する。図１に示すように、本実施例のワイヤーハーネスは、両端に周知形態の端子金具（図示省略）が接続された複数本の第１被覆電線１０と、両端に周知形態の端子金具（図示省略）が接続された複数本の第２被覆電線２０と、これらの被覆電線１０，２０の両端に接続されている端子金具を一括して収容する一対のコネクタ３０とを備えて構成されている。
【００１４】
図２，３に示すように、第１被覆電線１０は、アルミニウム合金製の第１導体１１と、第１導体１１を包囲する第１絶縁被覆１２とを備えて構成されている。第２被覆電線２０は、銅合金製の第２導体２１と、第２導体２１を包囲する第２絶縁被覆２２とを備えて構成されている。第１導体１１と第２導体２１の外径は同一である。第１絶縁被覆１２と第２絶縁被覆２２は、色も材質も外径も同じである。第１被覆電線１０と第２被覆電線２０とで異なるのは、双方の導体１１，２１の材質だけである。
【００１５】
第１絶縁被覆１２の表面（外周面）には、第１導体１１の太さを識別するための手段として、第１可視光用識別情報１３が表示されている。第１可視光用識別情報１３は、第１絶縁被覆１２の全周に亘って周方向に延びたリングマークであり、第１被覆電線１０の長さ方向において一定のピッチで複数箇所に配置されている。１つの表示箇所における第１可視光用識別情報１３の数は、１本である。この第１可視光用識別情報１３は、第１絶縁被覆１２とは異なる色の塗料を印刷することによって形成されている。第１可視光用識別情報１３に可視光線が当たっている状態では、第１可視光用識別情報１３の存在を、目視によって確認することができる。
【００１６】
第２絶縁被覆２２の表面（外周面）にも、第２導体２１の太さを識別するための手段として、第１可視光用識別情報１３と同様の第２可視光用識別情報２３が表示されている。この第２可視光用識別情報２３も、第１可視光用識別情報１３と同じく、第２絶縁被覆２２の全周に亘って周方向に延びたリングマークであり、第２被覆電線２０の長さ方向において第１可視光用識別情報１３と同じ一定ピッチで複数箇所に配置されている。
【００１７】
１つの第２可視光用識別情報２３の幅寸法は、第１可視光用識別情報１３の幅と同じ寸法である。また、１つの表示箇所における第２可視光用識別情報２３の数は、第１可視光用識別情報１３と同じく、１本である。この第２可視光用識別情報２３は、第２絶縁被覆２２とは異なる色の塗料を印刷することによって形成されている。第２可視光用識別情報２３に可視光線が当たっている状態では、第２可視光用識別情報２３の存在を、目視によって確認することができる。
【００１８】
上述のように、第１絶縁被覆１２に形成されている第１可視光用識別情報１３と、第２絶縁被覆２２に形成されている第２可視光用識別情報２３は、表示ピッチも、１つの表示箇所における数も、幅寸法も同じである。また、第１絶縁被覆１２と第２絶縁被覆２２は、色、材質、外径が同じである。そのため、可視光線の存在を前提として外観を目視するだけでは、第１被覆電線１０と第２被覆電線２０とを識別することはできない。つまり、導体１１，２１の材質の違いによって２種類の被覆電線１０，２０を分別することはできない。
【００１９】
その対策として、本実施例では、第１被覆電線１０と第２被覆電線２０のうち第１被覆電線１０だけに、その第１導体１１がアルミ合金製であるとの情報を表示するための手段としての蛍光識別情報１４が設けられている。蛍光識別情報１４は、可視光用識別情報１３，２３と同じく、第１絶縁被覆１２の全周に亘って周方向に延びたリングマークであり、第１被覆電線１０の長さ方向において一定のピッチで複数箇所に配置されている。１つの表示箇所における蛍光識別情報１４の数は、１本である。１つの蛍光識別情報１４の幅寸法は、第１可視光用識別情報１３及び第２可視光用識別情報２３の幅と同じ寸法である。
【００２０】
また、第１被覆電線１０の長さ方向（軸線方向）における蛍光識別情報１４の表示位置は、第１可視光用識別情報１３の表示位置に接近して隣り合う位置である。第１導体１１の太さが本実施例と異なる場合、１つの表示箇所には２本の第１可視光用識別情報１３が接近して並ぶように表示されるのであるが、本実施例において第１可視光用識別情報１３と蛍光識別情報１４の間隔は、２本の第１可視光用識別情報１３を並べて表示する場合の両第１可視光用識別情報１３の間隔と同じ寸法である。
【００２１】
そのため、もしも、蛍光識別情報１４の存在が可視光線下で目視確認でき、そのときの蛍光識別情報１４の色が第１可視光用識別情報１３と同じ色であった場合には、蛍光識別情報１４が第１可視光用識別情報１３であると誤認される虞がある。この場合、第１導体１１の太さに関する情報が、誤って伝えられるだけでなく、第１導体１１の材質に関する情報が正しく伝えられなくなる。本実施例では、その対策として、蛍光識別情報１４を、無色透明の蛍光塗料を印刷することによって構成している。
【００２２】
したがって、図２に示すように、第１被覆電線１０に可視光線が当たっている状態では、第１可視光用識別情報１３が１本だけ表示されていることを目視確認できるのに対し、蛍光識別情報１４の存在は目視によって確認することができない。これにより、蛍光識別情報１４を第１可視光用識別情報１３であると誤認することが防止され、第１導体１１の太さに関する情報が、正しく伝えられる。尚、図２では、可視光線下で目視確認できる可視光用識別情報１３，２３を実線であらわし、可視光線下で目視確認できない蛍光識別情報１４を想像線であらわしている。
【００２３】
この蛍光識別情報１４は、第１導体１１がアルミ合金製であって、第１導体１１と第２導体２１とは材質が異なることを伝えるための情報であるから、蛍光識別情報１４の存在の有無を目視で確認するための手段が必要である。この確認手段としては、図３に示すように、可視光線が当たらない暗室等の中に、第１被覆電線１０と第２被覆電線２０を混在状態で収容し、これらの被覆電線１０，２０に紫外線（ブラックライト）を照射する。尚、図３では、紫外線の照射によって目視確認できる蛍光識別情報１４を実線であらわし、紫外線の照射だけでは目視確認できない可視光用識別情報１３，２３を想像線であらわしている。
【００２４】
蛍光塗料（蛍光識別情報１４）は、紫外線の光エネルギーを受けると、励起して可視光線を放出する。一方、可視光用識別情報１３，２３は、可視光線を受けた状態でのみ目視可能であるから、暗室等の中では目視確認できない。したがって、蛍光識別情報１４の存在のみを目視によって確認することができ、これにより、絶縁被覆１２，２２を除去することなく、第１被覆電線１０（第１導体１１）と第２被覆電線２０（第２導体２１）を分別することができる。
【００２５】
上述のように本実施例のワイヤーハーネスは、第１絶縁被覆１２と第２絶縁被覆２２の両方に設けられ、可視光線下で目視確認可能に表示される可視光用識別情報１３，２３と、第１絶縁被覆１２のみに設けられ、可視光用識別情報１３，２３とは識別対象が異なっていて、可視光線下では目視による存在確認が困難であり且つ紫外線の照射により視認可能に発光する蛍光識別情報１４とを備えている。
【００２６】
そして、第１被覆電線１０と第２被覆電線２０が混在した状態で、暗室において双方の被覆電線１０，２０に紫外線を照射すると、可視光用識別情報１３，２３が目視確認できないのに対し、蛍光識別情報１４の存在を目視確認できるので、第１被覆電線１０と第２被覆電線２０を分別することができる。また、識別対象が異なる第１可視光用識別情報１３と蛍光識別情報１４の２種類の識別情報が設けられている第１絶縁被覆１２を可視光線下で目視した場合、目視によって存在が確認できるのは、第１可視光用識別情報１３だけである。したがって、蛍光識別情報１４を第１可視光用識別情報１３と誤認する虞はない。
【００２７】
また、本実施例のワイヤーハーネスは、蛍光識別情報１４の識別対象が、第１導体１１と第２導体２１の材質の違いであり、第１導体１１と第２導体２１の材質の違いに基づいて第１被覆電線１０と第２被覆電線２０が分別されるようになっている。したがって、ワイヤーハーネスをリサイクルする際に、絶縁被覆１２，２２を除去しなくても、導体１１，２１の材質の違いによって第１被覆電線１０と第２被覆電線２０を分別できるので、作業性に優れている。
【００２８】
また、本実施例のワイヤーハーネスは、可視光用識別情報１３，２３と蛍光識別情報１４が、周方向に繋がったリングマークを印刷によって表示したものであり、しかも、その幅寸法等が同じとなっている。したがって、可視光用識別情報１３，２３のリングマークを表示するための印刷設備を、蛍光識別情報１４のリングマークを表示するためにも流用することができ、設備の小型化や設備コストの低減を図ることができる。
【００２９】
＜他の実施例＞
本発明は上記記述及び図面によって説明した実施例に限定されるものではなく、例えば次のような実施例も本発明の技術的範囲に含まれる。
（１）上記実施例では、蛍光識別情報を無色透明としたが、蛍光識別情報は、無色透明ではなく、絶縁被覆と同じ色のものであってもよい。
（２）上記実施例では、蛍光識別情報を絶縁被覆に設ける手段として、蛍光塗料を絶縁被覆の表面に印刷したが、これに限らず、蛍光テープを絶縁被覆の表面に貼り着けてもよい。
（３）上記実施例では、被覆電線が１本の導体を絶縁被覆で包囲した単芯線である場合について説明したが、本発明は、２本の導体をシースで一括して包囲したツイストペア線や、３本以上の導体をシースで一体化した多芯ケーブルや、複数本の導体を並列に連結したフラットケーブル等にも適用できる。
（４）上記実施例では、可視光用識別情報の識別対象が導体の太さである場合について説明したが、可視光用識別情報の識別対象は、導体の太さに限らず、導体の材質や、導体の素線構成や、絶縁被覆の厚さ等であってもよい。
（５）上記実施例では、蛍光識別情報の識別対象が導体の材質である場合について説明したが、蛍光識別情報の識別対象は、導体の材質に限らず、導体の太さや、導体の素線構成や、絶縁被覆の厚さ等であってもよい。
（６）上記実施例では、可視光用識別情報と蛍光用識別情報を周方向のリングマークで表示したが、可視光用識別情報と蛍光用識別情報は、軸線方向のストライプや、螺旋方向のストライプや、ドット等で表示してもよい。
（７）上記実施例では、可視光用識別情報と蛍光用識別情報の表示形態を、両方共にリングマークとしたが、可視光用識別情報と蛍光用識別情報の表示形態は、互いに異なっていてもよい。
（８）上記実施例では、第１導体がアルミ合金製であり、第２導体が銅合金製である場合について説明したが、第１導体と第２導体の材質の組み合わせは銅合金とアルミ合金に限らず、他の金属材料の組み合わせであっても良い。
（９）上記実施例では、第１導体と第２導体とを異なる材質としたが、本発明は、第１導体と第２導体が同一の材質である場合にも適用できる。
（１０）上記実施例では、第１被覆電線と第２被覆電線の分別基準が導体の材質の違いである適用した場合について説明したが、本発明は、分別基準が、導体の材質の違いである場合に限らず、絶縁被覆の材料の違い等である場合にも適用できる。
【符号の説明】
【００３０】
１０…第１被覆電線（被覆電線）
１１…第１導体（導体）
１２…第１絶縁被覆（絶縁被覆）
１３…第１可視光用識別情報
１４…蛍光識別情報
２０…第２被覆電線
２１…第２導体
２２…第２絶縁被覆
２３…第１可視光用識別情報
【図１】
2014017124.tif 000003
【図２】
2014017124.tif 000004
【図３】
2014017124.tif 000005